(57)【要約】      （修正有）【課題】使用者の顔に対するフィット性及び使用時に手で持つ際の把持性に優れた蒸気発生具を提供する。【解決手段】接顔側端部に開口を有する有底筒状のマスク本体２と、マスク本体２の内部空間４に蒸気を発生可能な蒸気発生体３とを備える蒸気発生具１であって、マスク本体２は、接顔側端部５から該接顔側端部５の反対側に位置する閉塞側端部６に向けて先細りとなる周面を有しており、マスク本体２の周面は、前記内部空間４に向けて凹となる凹陥部１２を有しており、凹陥部１２は、マスク本体２の周面の対向する位置に一対形成されている。【選択図】図１
2020192310.tif 000002
【特許請求の範囲】
【請求項１】
接顔側端部に開口を有する有底筒状のマスク本体と、前記マスク本体の内部空間に蒸気を発生可能な蒸気発生体とを備える蒸気発生具であって、
前記マスク本体は、前記接顔側端部から該接顔側端部の反対側に位置する閉塞側端部に向けて先細りとなる周面を有しており、
前記マスク本体の周面は、前記内部空間に向けて凹となる凹陥部を有しており、
前記凹陥部は、前記マスク本体の周面の対向する位置に一対形成されている
蒸気発生具。
【請求項２】
前記マスク本体は、該マスク本体の半周面を形成する第１パネル部と、残りの半周面を形成する第２パネル部とを備え、
前記第１パネル部及び前記第２パネル部は、前記接顔側端部を除く縁部が互いに結合された袋状に形成されており、前記接顔側端部の開口を拡開させることで前記有底筒状に変形可能に構成されており、
前記第１パネル部及び前記第２パネル部は、前記接顔側端部から前記閉塞側端部に至る一対の側縁部に前記凹陥部を有している
請求項１に記載の蒸気発生具。
【請求項３】
前記一対の側縁部には、前記第１パネル部及び前記第２パネル部を互いに結合させる側縁結合部がそれぞれ設けられており、
各側縁結合部は、前記凹陥部に沿った形状を有している
請求項２に記載の蒸気発生具。
【請求項４】
各側縁結合部は、前記側縁部に対して０．５ｍｍ以上５．０ｍｍ以下の間隔をおいて内側に設けられており、
前記側縁部と前記側縁結合部との間にドライエッジが形成されている
請求項３に記載の蒸気発生具。
【請求項５】
前記第１パネル部及び前記第２パネル部は、前記接顔側端部が円弧状に形成されている
請求項２〜４いずれか１項に記載の蒸気発生具。
【請求項６】
前記蒸気発生体は、１０分間蒸気発生量が２５０ｍｇ以上である
請求項１〜５いずれか１項に記載の蒸気発生具。
【請求項７】
前記蒸気発生体は、２枚以上の不織布に挟まれている
請求項１〜６いずれか１項に記載の蒸気発生具。
【請求項８】
前記蒸気発生体は、賦香されている
請求項１〜７いずれか１項に記載の蒸気発生具。
【発明の詳細な説明】
【技術分野】
【０００１】
本発明は、蒸気発生具に関する。
【背景技術】
【０００２】
従来、温熱蒸気をのどや鼻に供給することが可能な蒸気発生具が知られている（特許文献１）。特許文献１の蒸気発生具は、一部に開口を有する袋状となるよう結合された第１パネル及び第２パネルと、各パネルに内包された平板状の蒸気発生体とを備え、第１パネル及び第２パネル間の開口を拡開させることで、使用者の口及び鼻を覆うことが可能なカップ形状をなすように構成されている。特許文献１の蒸気発生具によれば、のどや鼻に温熱蒸気を供給することで気道粘膜の働きを高め、風邪やインフルエンザ等の予防効果を得ることが可能である。
【先行技術文献】
【特許文献】
【０００３】
【特許文献１】特開２０１１−１８８９４７号公報
【発明の概要】
【発明が解決しようとする課題】
【０００４】
特許文献１の蒸気発生具は、使用者の顔に対するフィット性及び使用時に手で持つ際の把持性の観点において、改善の余地がある。
【０００５】
本発明は、使用者の顔に対するフィット性及び使用時に手で持つ際の把持性に優れた蒸気発生具に関する。
【課題を解決するための手段】
【０００６】
本発明は、接顔側端部に開口を有する有底筒状のマスク本体と、前記マスク本体の内部空間に蒸気を発生可能な蒸気発生体とを備える蒸気発生具であって、前記マスク本体は、前記接顔側端部から該接顔側端部の反対側に位置する閉塞側端部に向けて先細りとなる周面を有しており、前記マスク本体の周面は、前記内部空間に向けて凹となる凹陥部を有しており、前記凹陥部は、前記マスク本体の周面の対向する位置に一対形成されている蒸気発生具に関する。
【発明の効果】
【０００７】
本発明に係る蒸気発生具は、使用者の顔に対するフィット性及び使用時に手で持つ際の把持性に優れている。
【図面の簡単な説明】
【０００８】
【図１】本発明の一実施形態に係る蒸気発生具を示す図である。
【図２】本実施形態に係る蒸気発生具におけるマスク本体の展開状態を示す展開図である。
【図３】図２のＡ−Ａ´線に沿った断面図である。
【図４】本実施形態に係る蒸気発生具の折り畳み状態を示す図である。
【図５】本実施形態に係る蒸気発生具の使用状態を示す図である。
【図６】本実施形態に係る蒸気発生具をカップ状に変形させた状態における断面図である。
【図７】水蒸気発生量を測定する装置を示す模式図である。
【図８】接顔側端部を開口させた状態のカップ本体を開口と対向する方向から見た状態を示す図である。
【図９】変形例に係るマスク本体を示す図である。
【図１０】他の変形例に係るマスク本体を示す図である。
【図１１】更に他の変形例に係るマスク本体を示す図である。
【図１２】更に他の変形例に係るマスク本体を示す図である。
【発明を実施するための形態】
【０００９】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１０】
［蒸気発生具の全体構成］
本実施形態に係る蒸気発生具１は、図１に示すように、使用者の口及び鼻を覆うことが可能なカップ状のマスク本体２と、マスク本体２の内部空間４に蒸気を発生可能な蒸気発生体３とを備えている。
【００１１】
なお、本明細書において、「カップ状」とは、一方の端部が開放され、他方の端部が閉塞された筒状、すなわち有底筒状を意味しており、その胴部の形状は、円筒形状に限定されず、例えば角筒形状も含まれる。また、本明細書では、カップ状に形成されたマスク本体２の開放側の端部を「接顔側端部５」といい、接顔側端部５の反対側に位置する閉塞側の端部を「閉塞側端部６」という。さらに、本明細書では、「接顔側端部５」及び「閉塞側端部６」が左右方向に整列するよう配置したマスク本体２を平面方向から見た状態（すなわち、図４の状態）における上縁部を「上側側縁部７」といい、同状態における下縁部を「下側側縁部８」という。ここで、「上側側縁部７」は、カップ状に保形されたマスク本体２で使用者の口及び鼻を覆った際に、鼻側に位置する縁部であり、「下側側縁部８」は、同状態において口側（顎側）に位置する縁部である。ただし、本実施形態に係るマスク本体２は、後述する水平中心線１３ａを境として上下対称であるため、上下反対に装着すること、すなわち、下側側縁部８が鼻側に位置し、上側側縁部７が口側（顎側）に位置するよう使用者に装着することも可能である。
【００１２】
［マスク本体の構成］
マスク本体２は、図１に示すように、該マスク本体２の半周面を形成する第１パネル部１０Ａと、残りの半周面を形成する第２パネル部１０Ｂとを備えている。図２は、カップ状となった際の内面が上を向くようマスク本体２を展開させた状態における平面図であり、図３は、図２におけるＡ−Ａ´線に沿った断面図である。第１パネル部１０Ａ及び第２パネル部１０Ｂは、図２に示すように、閉塞側端部６において一体的に連続しており、かつ、両パネル部１０Ａ，１０Ｂの閉塞側端部６を境として左右対称の形状を有している。換言すれば、マスク本体２は、同形同大の第１パネル部１０Ａ及び第２パネル部１０Ｂを左右対称に配したシート状部材からなる。
【００１３】
第１パネル部１０Ａ及び第２パネル部１０Ｂは、図２に示すように、それぞれ、接顔側端部５から閉塞側端部６に向けて先細りとなる形状、本実施形態では略扇状に形成されている。具体的には、第１パネル部１０Ａ及び第２パネル部１０Ｂは、接顔側端部５が円弧状に形成されると共に、閉塞側端部６が概ね直線状に形成されている。また、第１パネル部１０Ａ及び第２パネル部１０Ｂは、接顔側端部５の上端から閉塞側端部６の上端に至る上側側縁部７と、接顔側端部５の下端から閉塞側端部６の下端に至る下側側縁部８とが、互いに閉塞側端部６側において交差する方向に向けて傾斜している。さらに、第１パネル部１０Ａ及び第２パネル部１０Ｂは、それぞれ、第１パネル部１０Ａの接顔側端部５の中心と第２パネル部１０Ｂの接顔側端部５の中心とを結ぶ中心線（以下、「水平中心線１３ａ」という）を境として、上下対称な形状を有している。
【００１４】
接顔側端部５は、７５ｍｍ以上２００ｍｍ以下の曲率半径を有しており、８０ｍｍ以上１２０ｍｍ以下の曲率半径を有することが好ましく、８５ｍｍ以上１００ｍｍ以下の曲率半径を有することが更に好ましい。また、接顔側端部５は、１６０ｍｍ以上２２０ｍｍ以下の円弧長さを有しており、１７０ｍｍ以上２１０ｍｍ以下の円弧長さを有することが好ましく、１８０ｍｍ以上２００ｍｍ以下の円弧長さを有することが更に好ましい。
【００１５】
第１パネル部１０Ａ及び第２パネル部１０Ｂの上側側縁部７及び下側側縁部８には、図２に示すように、それぞれ、凹陥部１２が形成されている。凹陥部１２は、水平中心線１３ａ（各パネル部１０Ａ，１０Ｂの内側）に向けて緩やかな円弧を描く凹状に形成されている。
【００１６】
本実施形態において、凹陥部１２は、上側側縁部７及び下側側縁部８上で、各パネル部１０Ａ，１０Ｂの内側に向けた円弧部分を指す。具体的には、上側側縁部７及び下側側縁部８は、図２に示すように、それぞれ、接顔側端部５から閉塞側端部６に亘って、各パネル部１０Ａ，１０Ｂの外側に向かう円弧状の接顔側円弧部７ａ，８ａと、各パネル部１０Ａ，１０Ｂの内側に向かう円弧状の凹陥部１２，１２と、各パネル部１０Ａ，１０Ｂの外側に向かう円弧状の閉塞側円弧部７ｂ，８ｂとが連続した波状を有している。すなわち、本実施形態に係る凹陥部１２は、接顔側円弧部７ａ，８ａと閉塞側円弧部７ｂ，８ｂとにより挟まれている。そして、上側側縁部７の凹陥部１２は、接顔側円弧部７ａの頂点（上側変曲点ＵＦ）から閉塞側円弧部７ｂの頂点（下側変曲点ＬＦ）までの領域を指し、下側側縁部８の凹陥部１２は、接顔側円弧部８ａの頂点（上側変曲点ＵＦ）から閉塞側円弧部８ｂの頂点（下側変曲点ＬＦ）までの領域を指す。
【００１７】
本実施形態において、凹陥部１２は、マスク本体２をカップ状に変形させる際における指の押圧力を接顔側端部５側に効率良く伝播させ、開口の拡開をスムーズに行う観点から、接顔側端部５側に向かう凹状であることが好ましい。特に、各凹陥部１２は、図２に示すように、上側側縁部７の凹陥部１２の凹み方向１３ｂと、下側側縁部８の凹陥部１２の凹み方向１３ｃとの交差点が各パネル部１０Ａ，１０Ｂの図心位置よりも接顔側端部５側に位置することが好ましい。また、該交差点が水平中心線１３ａ上に位置することが更に好ましい。
【００１８】
凹陥部１２は、頭頂部において、１０ｍｍ以上５０ｍｍ以下の曲率半径を有しており、２０ｍｍ以上４０ｍｍ以下の曲率半径を有することが好ましく、２５ｍｍ以上３５ｍｍ以下の曲率半径を有することが更に好ましい。また、凹陥部１２は、２０ｍｍ以上６０ｍｍ以下の円弧長さを有しており、３０ｍｍ以上５０ｍｍ以下の円弧長さを有することが好ましく、３５ｍｍ以上４５ｍｍ以下の円弧長さを有することが更に好ましい。
【００１９】
本実施形態では、マスク本体２は、図３に示すように、多層構造を有している。すなわち、マスク本体２は、カップ状となった際の内面を形成する内面シート１４と、カップ状となった際の外面を形成する外面シート１６とを備えている。内面シート１４及び外面シート１６は、同形同大に形成されており、これら内面シート１４及び外面シート１６の間に蒸気発生体３が配されている。
【００２０】
蒸気発生体３は、第１パネル部１０Ａ及び第２パネル部１０Ｂの双方に、閉塞側端部６を境として左右対称となるように配されている。具体的には、カップ状のマスク本体２によって使用者の口及び鼻を覆った際に、使用者の口、鼻及び頬と蒸気発生体３とで囲まれた空間を生じさせ（図６参照）、水蒸気発生を抑制せずに蒸気発生具１内の温度と絶対湿度を高める観点、並びに、蒸気発生体３が肌に触れることを抑制する観点から、図２及び図３に示すように、マスク本体２の閉塞側端部６近傍に、左右対称に配されることが好ましい。
【００２１】
より具体的には、各蒸気発生体３は、各蒸気発生体３の閉塞側端部６側の端部と閉塞側端部６との間の距離Ｄ１（図３参照）が１５ｍｍ以下となるよう配されることが好ましく、１２ｍｍ以下となるよう配されることが更に好ましく、また、該最短距離が５ｍｍ以上となるよう配されることが好ましく、７ｍｍ以上となるよう配されることが更に好ましい。また、各蒸気発生体３は、各蒸気発生体３の接顔側端部５側の端部と接顔側端部５との間の距離Ｄ２（図３参照）が１５ｍｍ以上となるよう配されることが好ましく、２０ｍｍ以上となるよう配されることが更に好ましく、また、該最短距離が３０ｍｍ以下となるよう配されることが好ましき、２５ｍｍ以下となるよう配されることが更に好ましい。なお、これら距離Ｄ１及び距離Ｄ２は、水平中心線１３ａにおける距離をいうものとする。
【００２２】
外面シート１６には、接着剤（図示せず）が塗布されており、該接着剤を介して、蒸気発生体３及び内面シート１４が接着されている。接着剤としては、ホットメルト型接着剤を用いることが好ましいが、これに限定されず、種々の公知の固定手段を用いることができる。なお、外面シート１６に接着剤を塗布する構成に代えて、又はこれに加えて、内面シート１４に接着剤を塗布する構成を採用することも可能である。
【００２３】
内面シート１４及び外面シート１６の材料は、衛生用マスクの技術分野において従来から用いられているものを用いることができ、一定の通気性を有するものであれば特にその種類に制限はない。例えば、不織布やガーゼ等の繊維シートを用いることができ、加工のしやすさ及び経済性の観点、並びに、良好な保形性を得る観点から、不織布を用いることが好ましい。
【００２４】
不織布の繊維素材としては、例えば、ＰＥＴ（ポリエチレンテレフタレート）等のポリエステル；ＰＥ（ポリエチレン）、ＰＰ（ポリプロピレン）、エチレンプロピレン共重合体等のポリオレフィン；レーヨン；コットン等から選択される１種又は２種以上の繊維で構成されるものが好ましい。また、不織布としては、前記の１種又は２種以上の素材の繊維を用いて、エアスルー法、スパンボンド法、ニードルパンチ法、メルトブローン法、カード法、熱融着法、水流交絡法、溶剤接着法等により製造されたものを用いることができ、単層でも多層構造でもよい。内面シート１４及び外面シート１６の双方が単層又は多層の不織布からなる場合には、蒸気発生体３は、２枚以上の不織布に挟まれることとなる。
【００２５】
内面シート１４は、通気性であることが、放散される蒸気の作用を蒸気発生具１の使用者の身体に効率よく作用させる観点から好ましい。一方、外面シート１６は、製品の設計に応じて任意の材料を用いることができ、通気性シートでも非通気性シートでもよく、また、伸縮性を有していてもよく、非伸縮性であってもよい。伸縮性を有するシートとしては、構成繊維として弾性繊維を含むシート、弾性フィラメントを含むシート、ゴム編等の構造により伸縮性を発現するシート等が挙げられる。
【００２６】
また、内面シート１４及び外面シート１６は、使用者が手にもった時に保形できる程度の剛性を発揮可能な坪量を有するものであれば良い。内面シート１４は、肌あたり改善を目的とした構成材料を選択することが好ましく、外面シート１６は、マスク本体２に保形性を与える上で適した構成材料を選択することが好ましい。
【００２７】
具体的には、内面シート１４の坪量は、２０ｇ／ｍ２以上であることが好ましく、４０ｇ／ｍ２以上であることがより好ましく、６０ｇ／ｍ２以上であることがさらに好ましく、また、１５０ｇ／ｍ２以下であることが好ましく、１２０ｇ／ｍ２以下であることがより好ましく、１００ｇ／ｍ２以下であることが更に好ましい。また、外面シート１６の坪量は、３０ｇ／ｍ２以上であることが好ましく、５０ｇ／ｍ２以上であることがより好ましく、７０ｇ／ｍ２以上であることがさらに好ましく、また、２００ｇ／ｍ２以下であることが好ましく、１５０ｇ／ｍ２以下であることがより好ましく、１００ｇ／ｍ２以下であることが更に好ましい。
【００２８】
マスク本体２は、図４に示すように、内面シート１４が内側となるよう、閉塞側端部６を中心として第１パネル部１０Ａ及び第２パネル部１０Ｂが折り畳まれた状態で、第１パネル部１０Ａ及び第２パネル部１０Ｂの接顔側端部５を除く縁部（閉塞側端部６、上側側縁部７及び下側側縁部８）が互いに結合されることで、接顔側端部５に開口を有する袋状に形成されている。具体的には、本実施形態におけるマスク本体２では、第１パネル部１０Ａ及び第２パネル部１０Ｂが互いに重ね合された状態で、第１パネル部１０Ａの上側側縁部７と第２パネル部１０Ｂの上側側縁部７とが上側側縁結合部２０によりシールされると共に、第１パネル部１０Ａの下側側縁部８と第２パネル部１０Ｂの下側側縁部８とが下側側縁結合部２２によりシールされている。
【００２９】
なお、本明細書における「結合」には、熱溶着、超音波溶着、高周波溶着及び接着剤等の任意の手段によって第１パネル部１０Ａ及び第２パネル部１０Ｂを事後的に接着させる構成に加え、例えば第１パネル部１０Ａ及び第２パネル部１０Ｂが当初から一体として形成されている構成も含むものとする。このため、例えば、本実施形態における閉塞側端部６は、第１パネル部１０Ａ及び第２パネル部１０Ｂが一体的に連続した構成であるため、当初より閉塞されているが、本明細書では、このような閉塞状態についても「結合」に含まれる。
【００３０】
上側側縁結合部２０は、図４に示すように、上側側縁部７に沿った線形状を有しており、下側側縁結合部２２は、下側側縁部８に沿った線形状を有している。具体的には、上側側縁結合部２０及び下側側縁結合部２２は、図４に示すように、接顔側端部５から閉塞側端部６に向けて、これら上側側縁結合部２０及び下側側縁結合部２２の間隔が徐々に狭まるよう、水平中心線１３ａに対して傾斜している。また、上側側縁結合部２０及び下側側縁結合部２２は、マスク本体２を鼻及び顎に沿った形状に変形させ、顔の立体形状に対するフィット性の良い蒸気発生具１を形成する観点から、凹陥部１２に沿った形状、すなわち、水平中心線１３ａ（各パネル部１０Ａ，１０Ｂの内側）に向けて緩やかな円弧を描く凹状に湾曲している。
【００３１】
上側側縁結合部２０は、図４に示すように、上側側縁部７よりも水平中心線１３ａ側に所定の間隔をおいて設けられており、これにより、上側側縁部７と上側側縁結合部２０との間に、結合処理の施されていないドライエッジ２４が形成されている。また、下側側縁結合部２２も同様に、下側側縁部８よりも水平中心線１３ａ側に所定の間隔をおいて設けられており、これにより、下側側縁部８と下側側縁結合部２２との間に、結合処理の施されていないドライエッジ２４が形成されている。上側側縁結合部２０は、上側側縁部７に対して０．５ｍｍ以上５．０ｍｍの間隔をおいて内側に設けられており、下側側縁結合部２２は、下側側縁部８に対して０．５ｍｍ以上５．０ｍｍの間隔をおいて内側に設けられている。
【００３２】
以上の構成を備えるマスク本体２は、上側側縁部７の凹陥部１２及び下側側縁部８の凹陥部１２に指を添え、上側側縁部７及び下側側縁部８を互いに接近する方向に押圧することにより、第１パネル部１０Ａ及び第２パネル部１０Ｂの結合されていない円弧状の周辺部（接顔側端部５の開口）が拡開し、平面的な袋状（図４参照）から立体的なカップ状（図１参照）へ変形するよう構成されている。
【００３３】
マスク本体２は、使用者が手に持った状態においてカップ状を維持できる（保形できる）程度の剛性を有している。また、マスク本体２は、図１に示すように、カップ状に保形された状態（接顔側端部５の開口が拡開した状態）において、接顔側端部５から閉塞側端部６に向けて先細りとなる周面を有している。さらに、マスク本体２の周面は、内部空間４に向けて凹となる凹陥部１２を有しており、この凹陥部１２は、マスク本体２の周面の対向する位置（本実施形態では上側側縁部７及び下側側縁部８）に一対形成されている。
【００３４】
また、マスク本体２は、図５及び図６に示すように、接顔側端部５の開口が、使用者の口及び鼻を覆うことが可能な大きさを有している。
【００３５】
具体的には、マスク本体２は、カップ状に保形された状態における接顔側端部５の開口の幅Ｗ（図８参照）が４０ｍｍ以上であることが好ましく、６０ｍｍ以上であることがより好ましく、８０以上であることが更に好ましく、また、１７０ｍｍ以下であることが好ましく、１５０ｍｍ以下であることがより好ましく、１３０ｍｍ以下であることが更に好ましい。このように、接顔側端部５の開口の幅Ｗが４０ｍｍ以上であることにより、使用者の口及び鼻を覆うことが可能な大きさとしつつ、蒸気発生体３と口及び鼻との距離が離れすぎることを防ぎ、適度な温感及び蒸気量とすることができるという利点がある。また、接顔側端部５の開口の幅Ｗが１７０ｍｍ以下であることにより、蒸気発生体３が口及び鼻に近づきすぎることを防ぎ、適度な温感及び蒸気量とすることができるという利点がある。さらに、この接顔側端部５の開口の幅Ｗであることにより、後述する開口の大きさを変更可能な構成においても問題なく使用できる。なお、「接顔側端部５の開口の幅Ｗ」とは、図８に示すように、カップ状に保形された状態における第１パネル部１０Ａの接顔側端部５の中心と第２パネル部１０Ｂの接顔側端部５の中心との間の直線距離をいう。
【００３６】
また、マスク本体２は、カップ状に保形された状態における接顔側端部５の開口の高さＨ（図８参照）が５０ｍｍ以上であることが好ましく、７０ｍｍ以上であることがより好ましく、９０以上であることが更に好ましく、また、１５０ｍｍ以下であることが好ましく、１４０ｍｍ以下であることがより好ましく、１３０ｍｍ以下であることが更に好ましい。このように、接顔側端部５の開口の高さＨが５０ｍｍ以上であることにより、使用者の口及び鼻を覆うことが可能な大きさとしつつ、蒸気発生体３と口及び鼻との距離が離れすぎることを防ぎ、適度な温感及び蒸気量とすることができるという利点がある。また、接顔側端部５の開口の高さＨが１５０ｍｍ以下であることにより、蒸気発生体３が口及び鼻に近づきすぎることを防ぎ、適度な温感及び蒸気量とすることができるという利点がある。さらに、この接顔側端部５の開口の高さＨであることにより、後述する開口の大きさを変更可能な構成においても問題なく使用できる。なお、「接顔側端部５の開口の高さＨ」とは、図８に示すように、カップ状に保形された状態における上側側縁部７と接顔側端部５との交点と、下側側縁部８と接顔側端部５との交点との間の直線距離をいう。
【００３７】
マスク本体２は、図５及び図６に示すように、接顔側端部５の開口で使用者の口及び鼻を覆った状態において、使用者の顔との間に形成される内部空間４の容積が、５０ｍｌ以上２００ｍｌ以下であることが好ましく、１００ｍｌ以上１５０ｍｌ以下であることが更に好ましい。内部空間４の容積を上記上限値以下とすることにより、取扱い性、外観を良好に保持しつつ、十分な蒸気感を付与することができる。また、内部空間４の容積を上記下限値以上とすることにより、呼吸をし易くすると共に、蒸気及び香気成分が付与され易くなる。
【００３８】
なお、使用者の顔との間に形成される内部空間４は、マスク本体２が使用者の顔に接することにより形成される閉じられた空間に限られず、マスク本体２と使用者の顔との間に僅かな隙間を有するものであっても良い。ここでいう僅かな隙間とは、通常の方法で蒸気発生具１を装着した際に生じる得る隙間のことをいう。このような隙間がある場合であっても、該隙間は蒸気発生体３が発生する蒸気による効果が損なわれない程度の大きさであるため、隙間部分もマスク本体２の縁部に沿って閉じられているものとして取り扱うことが可能である。
【００３９】
［内部空間の容積測定法］
ここで、内部空間４の容積は、次のようにして測定することができる。すなわち、有限会社デジタルヒューマンテクノロジー社製の平均人頭データ（出願時における最新データ）を用いて造形された人頭モデルを使用し、蒸気発生具１の使用状態を再現し、三次元測定機を用いて三次元データ化して、測定することができる。また特開２０１２−２０５９２６号公報に示されているように、マスクの内側に液不透過性のフィルムを配置し、この部分に水を注ぎ、マスクを装着したのと同じ状態になるようにし、下向きに顔をつけて、残った水の量を測定する方法でも、ほぼ同様な値が得られるので、蒸気発生具１の形状により、三次元データ化が困難な場合は、特開２０１２−２０５９２６号公報に開示されている方法で内部空間４の容積を測定してもよい。
【００４０】
［蒸気発生体の構成］
蒸気発生体３は、空気中の酸素と反応することにより、発熱すると共に水蒸気を発生し、温められた水蒸気を使用者に供給することが可能に構成されている。このような蒸気発生体３の形態としては、例えば、粉体の混合物、抄造シート等のシート状、又は基材に分散液等を塗布した塗工シート等を採用可能である。また、蒸気発生体３は、被酸化性金属、炭素成分及び水を含んでいることが好ましい。
【００４１】
被酸化性金属は、酸化反応熱を発する金属であり、例えば、鉄、アルミニウム、亜鉛、マンガン、マグネシウム、及びカルシウムから選ばれる１種又は２種以上の粉末や繊維が挙げられる。中でも、取扱い性、安全性、製造コスト、保存性及び安定性の点から鉄が好ましく、特に鉄粉が好ましい。鉄粉としては、例えば、還元鉄粉、及びアトマイズ鉄粉などが挙げられる。被酸化性金属の粒子の粒径は、例えば０．１〜３００μｍ程度とすることができる。
【００４２】
炭素成分は、保水能、酸素供給能及び触媒能の少なくとも１つの機能を有するものであり、この３つを兼ね備えているものが好ましい。炭素成分として、例えば、活性炭、アセチレンブラック、及び黒鉛から選ばれる１種又は２種以上を用いることができる。これらの中でも、湿潤時に酸素を吸着しやすいことや、発熱体中の水分を一定に保つ観点から、活性炭がより好ましく用いられる。
【００４３】
蒸気発生体３は、更に保水材を含んでおり、蒸気放散性に優れたものであることが好ましい。保水材としては、高吸収性ポリマー（ＳＡＰ）、でんぷん、ゼオライト、パーライト、バーミュキュライト等が挙げられる。
【００４４】
蒸気発生体３の平面形状は、特に限定されず、円形、多角形等であってもよい。製造効率、取り扱い易さ、加温加湿効果の観点から、長方形、略正方形等の四角形が好ましく、取り扱いやすさの観点から略正方形がより好ましい。また、蒸気発生体３は、例えば、蒸気発生具に１個乃至２個以上を、好ましくはパネル内に設置することが好ましく、左右の両パネルに設置することがより好ましい。２つの蒸気発生具の発熱特性は同じであっても、異なってもよいが、同じであることがより好ましい。
【００４５】
また、蒸気発生体３は、香料組成物により賦香されていてもよい。香料組成物は、天然香料又は合成香料のいずれであってもよく、これらが混合されたものでもよい。香料組成物としては、例えば、テルペン系炭化水素、モノテルペンアルコール類、セスキテルペンアルコール類、芳香族アルコール、酢酸エステル類、カルボニル基を有する化合物、ジヒドロジャスモン酸メチル、及びヨノン等の香気成分、ならびに精油等を含むものが挙げられる。これらは、１種又は２種以上を混合して用いられてもよい。また、香料組成物には、上記香料成分及び精油に加え、例えば「合成香料 化学と商品知識」（印藤元一著 化学工業日報社）に記載の香料成分や、溶剤を含むことができる。溶剤としては、ジプロピレングリコール、エチルジグリコール、イソプロピルミリステート、ベンジルベンゾエート、トリエチルシトレート及びジエチルフタレートの１種又は２種以上を含有することができる。
【００４６】
香料組成物の含有量は、その種類や蒸気発生具１の具体的な用途等に応じ適切に選定することができる。香料組成物の種類にもよるが、一般的な範囲として、香料組成物の含有量は、蒸気発生体３の被酸化性金属１００質量部に対して、０．５以上６以下質量部であることが好ましく、０．７以上４．５以下質量部であることがより好ましい。
【００４７】
蒸気発生体３を賦香する方法は、香料組成物が液体である場合は、蒸気発生体３に対して香料組成物をスプレー等で直接添加する方法がある。また、蒸気発生体３の構成材料（シートや原料等）等に賦香して賦香シートや粉末香料やペースト状の賦香物とする方法もある。香料組成物が固体である場合は、蒸気発生体３に対して香料組成物を吸着させたり、蒸気発生体３内に収容する等して添加する方法がある。
【００４８】
さらに、蒸気発生体３は、それぞれ、水蒸気発生開始から１０分間に放出される累積水蒸気発生量（以下、「１０分間蒸気発生量」という）が２５０ｍｇ以上であることが好ましく、３５０ｍｇ以上であることがより好ましく、４５０ｍｇ以上であることが更に好ましく、また、１０００ｍｇ以下であることが好ましく、８５０ｍｇ以下であることがより好ましく、７００ｍｇ以下であることが更に好ましい。このような蒸気発生量とすることにより、蒸気発生具１の使用を開始した最初の１０分間に適切な量の水蒸気を供給することが可能となるため、より効果的に蒸気による効果を与えることができる。
【００４９】
［水蒸気発生量測定法］
ここで、蒸気発生体３の１０分間蒸気発生量は、図７に示す装置３０を用いて、次のように測定される数値である。図７に示す装置３０は、アルミニウム製の測定室（容積２．１Ｌ）３１と、測定室３１の下部に除湿空気（湿度２％未満、流量２．１Ｌ／分）を流入させる流入路３２と、測定室３１の上部から空気を流出させる流出路３３と、流入路３２に設けられた入口温湿度計３４及び入口流量計３５と、流出路３３に設けられた出口温湿度計３６及び出口流量計３７と、測定室３１内に設けられた温度計（サーミスタ）３８とを備えている。温度計３８としては、温度分解能が０．０１℃程度のものを使用する。
【００５０】
蒸気発生体３の肌側に位置する面（マスク本体２の内面側の面）の表面温度の測定は、測定環境温度３０℃（３０±１℃）において蒸気発生体３を酸素遮断袋から取り出し、蒸気発生体３の肌側に位置する面、すなわち水蒸気放出面を上にして測定室３１に載置し、金属球（４．５ｇ）をつけた温度計３８をその上に載せて計測する。また、この状態で下部より除湿空気を流し、入口温湿度計３４と出口温湿度計３６で計測される温度及び湿度から測定室３１に空気が流入する前後の絶対湿度の差を求め、さらに入口流量計３５と出口流量計３７で計測される流量から蒸気発生体３が放出した水蒸気量を算出する。そして、蒸気発生体３を酸素遮断袋から取り出した時点を起点とし、１０分後までに測定された水蒸気量の総量を、１０分間蒸気発生量とする。
【００５１】
［蒸気発生具の使用方法］
次に、本実施形態に係る蒸気発生具１の使用方法について、説明する。
なお、本実施形態においては、蒸気発生体３がマスク本体２と一体となっているため、蒸気発生具１全体が酸素遮断袋に封入された状態で保管されている。この保管状態において、マスク本体２は、袋状の状態で折り畳まれている。
【００５２】
まず、使用者は、使用時に酸素遮断袋を開封し、蒸気発生具１を酸素遮断袋から取り出す。これにより、蒸気発生体３が空気と接触し、蒸気発生体３に含まれている被酸化性金属の酸化反応により、蒸気発生体３が発熱を開始する。
【００５３】
酸素遮断袋から蒸気発生具１を取り出した後、使用者は、図５に示すように、マスク本体２の上側側縁部７の凹陥部１２及び下側側縁部８の凹陥部１２に指を添え、上側側縁部７及び下側側縁部８を互いに接近する方向に押圧する。これにより、第１パネル部１０Ａ及び第２パネル部１０Ｂの結合されていない円弧状の周辺部（接顔側端部５の開口）が拡開し、マスク本体２が、平面的な袋状から立体的なカップ状へ変形する。使用者は、このようにカップ状へ変形したマスク本体２によって口及び鼻が覆われるように、マスク本体２を顔に接近させる。なお、この際、マスク本体２の接顔側端部５を使用者の顔に密着させることが好ましいが、これに限定されず、蒸気効果が損なわれない範囲において、マスク本体２の接顔側端部５を使用者の顔から離した状態で使用してもよい。
【００５４】
そして、このようにマスク本体２によって口及び鼻が覆われた状態において蒸気発生体３が発熱することで、この熱によって蒸気発生体３に含まれている水が加熱されて所定温度の水蒸気（温熱蒸気）となり、マスク本体２の内面シート１４を介してマスク本体２の内部空間４へ放出され、使用者の口や鼻に供給される。この際、蒸気発生体３は賦香されているため、水蒸気と共に香気成分も使用者に吸引される。このように、本実施形態に係る蒸気発生具１によれば、簡便な方法で温熱蒸気及び香気成分を使用者に供給することができる。
【００５５】
以上説明したとおり、本実施形態に係る蒸気発生具１は、接顔側端部５に開口を有する有底筒状（カップ状）に変形可能なマスク本体２と、マスク本体２の内部空間４に蒸気を発生可能な蒸気発生体３とを備え、カップ状に変形した状態におけるマスク本体２が、接顔側端部５から閉塞側端部６に向けて先細りとなる周面を有しており、この周面が、内部空間４に向けて凹となる凹陥部１２を有しており、この凹陥部１２が、マスク本体２の周面の対向する位置に一対形成されている。
【００５６】
そして、このような構成を備える蒸気発生具１によれば、図６に示すように、接顔側端部５の開口で使用者の口及び鼻を覆った際に、上側側縁部７に形成された凹陥部１２の内面側１２ｂが使用者の鼻にフィットすると共に、下側側縁部８に形成された凹陥部１２の内面側１２ｂが使用者の顎にフィットするため、使用者の顔に対するフィット性を向上させ、内部空間４内に発生した蒸気の漏出を防止することが可能となる。
【００５７】
また、本実施形態に係る蒸気発生具１は、図６に示すように、接顔側端部５の開口で使用者の口及び鼻を覆った際に、上側側縁部７に形成された凹陥部１２の外面側１２ａが使用者の指（例えば人差し指）にフィットすると共に、下側側縁部８に形成された凹陥部１２の外面側１２ａが使用者の他の指（例えば親指）にフィットするため、使用時に手で持つ際の把持性にも優れている
【００５８】
さらに、本実施形態に係る蒸気発生具１は、これら一対の凹陥部１２が形成されることによって、該一対の凹陥部１２が形成されない場合と比較して、マスク本体２と使用者の顔との間に形成される空間の体積を小さくすることが可能となるため、蒸気量に対する蒸気効果を向上させることが可能となる。すなわち、本実施形態に係る蒸気発生具１によれば、一対の凹陥部１２が形成されない場合と比較して、少ない蒸気量で同一の蒸気効果を得ること、又は、同一の蒸気量でより優れた蒸気効果を得ることが可能である。
【００５９】
特に、本実施形態に係る蒸気発生具１では、第１パネル部１０Ａ及び第２パネル部１０Ｂを結合する上下一対の側縁結合部（上側側縁結合部２０及び下側側縁結合部２２）が、上側側縁部７及び下側側縁部８に対して０．５ｍｍ以上５．０ｍｍ以下の間隔をおいて内側に設けられており、これにより、上側側縁部７及び下側側縁部８と各側縁結合部２０，２２との間にドライエッジ２４が形成されている。このような構成を備える蒸気発生具１によれば、上側側縁部７及び下側側縁部８に柔軟性を付与することが可能となるため、使用時に手で持つ際に手指が痛くなりにくいという更なる利点を有している。
【００６０】
また、本実施形態に係る蒸気発生具１では、接顔側端部５が円弧状に形成されているため、使用者の頬に対するフィット性も向上し、より一層、使用者の顔に対するフィット性を向上させ、内部空間４内に発生した蒸気の漏出を防止することが可能となる。
【００６１】
さらに、本実施形態に係る蒸気発生具１では、蒸気発生体３を第１パネル部１０Ａ及び第２パネル部１０Ｂの双方に配することにより、左右の鼻腔に同等の蒸気量を吸入させることが可能になる。また、第１パネル部１０Ａに配された蒸気発生体３と、第２パネル部１０Ｂに配された蒸気発生体３とにより内部空間４に供給される１０分間蒸気発生量が５００ｍｇを超えると、のどや鼻に温熱蒸気が十分に供給されることで気道粘膜の働きを高め、繊毛運動を活性化し、風邪やインフルエンザ等の予防効果を得ることが可能である。
【００６２】
さらに、本実施形態に係る蒸気発生具１では、蒸気発生体３が賦香されているため、例えば蒸気に心地の良い香りを付加することで、リラックス効果を高めることが可能となる。
【００６３】
以上、本発明の好適な実施形態を例示して説明したが、本発明の技術的範囲は、上述した実施形態に記載の範囲には限定されない。上記各実施形態には、多様な変更又は改良を加えることが可能である。
【００６４】
例えば、上述した実施形態では、マスク本体２を手で持って使用するものとして説明したが、これに限定されず、例えば耳掛け式マスクの内側に挿入する等して、手で持たずに使用することも可能である。
【００６５】
上述した実施形態では、マスク本体２が使用者の口及び鼻を覆うことが可能な開口を有するものとして説明したが、これに限定されず、マスク本体２の開口は、使用者の口及び鼻の少なくとも一方を覆うことが可能な程度の大きさであっても良い。
【００６６】
また、マスク本体２は、開口の大きさを変更可能な構成であっても良い。このような開口の大きさを変更するための構成としては、例えば図９（ａ）及び図９（ｂ）に示すように、マスク本体２Ａ，２Ｂの一部（上部側仮結合部４０，下部側仮結合部４２）を破断することで開口を大きくする構成が例示される。上部側仮結合部４０及び下部側仮結合部４２は、例えば、第１パネル部１０Ａ及び第２パネル部１０Ｂがミシン目状や連続シール状によりに結合された部位であり、第１パネル部１０Ａ及び第２パネル部１０Ｂを互いに離間させる操作によって破断させることが可能となっている。この結合は、ミシン目状や連続シール状に限らず、上部側仮結合部４０，下部側仮結合部４２において第１パネル部１０Ａ及び第２パネル部１０Ｂが結合され、上述した様に破断が可能であれば任意の方法でよい。なお、「結合」の意味については、既述のとおりである。
【００６７】
このような変形例において、上部側仮結合部４０は、例えば図９（ａ）に示すマスク本体２Ａのように、上側側縁部７と接顔側端部５との交点から接顔側端部５に沿って延びる構成や、例えば図９（ｂ）に示すマスク本体２Ｂのように、上側側縁部７の中途部から接顔側端部５に向けて延びる構成等の任意の構成を採用可能である。また、下部側仮結合部４２は、例えば図９（ａ）に示すマスク本体２Ａのように、下側側縁部８と接顔側端部５との交点から接顔側端部５に沿って延びる構成や、例えば図９（ｂ）に示すマスク本体２Ｂのように、下側側縁部８の中途部から接顔側端部５に向けて延びる構成等の任意の構成を採用可能である。
【００６８】
このような変形例に係るマスク本体２Ａ，２Ｂによれば、上部側仮結合部４０及び下部側仮結合部４２を破断させて開口の大きさを自由に変更することが可能となるため、使用者の好みや使用者の年齢（大人、子供）、顔のサイズ等に応じて、使用者側において開口の大きさを調整することが可能となる。
【００６９】
上述した実施形態では、マスク本体２が折り畳み可能な構成であるものとして説明したが、これに限定されず、予め保形されていても良い。
【００７０】
上述した実施形態では、マスク本体２が、第１パネル部１０Ａ及び第２パネル部１０Ｂが閉塞側端部６において一体的に連続した一枚物のシート状部材を折り畳み、上側側縁部７及び下側側縁部８を結合することにより袋状に形成されるものとして説明したが、これに限定されるものではない。例えば、マスク本体２は、互いに分離された第１パネル部１０Ａ及び第２パネル部１０Ｂを重ね合わせ、閉塞側端部６、上側側縁部７及び下側側縁部８を結合することにより袋状に形成されても良い。
【００７１】
上述した実施形態では、上側側縁部７及び下側側縁部８にそれぞれ１つずつ凹陥部１２が形成されるものとして説明したが、これに限定されず、凹陥部１２の数は任意に変更することが可能である。このように凹陥部１２が複数形成される場合には、複数本の指でマスク本体２を把持する際の指のフィット性を向上させ、より一層、マスク本体２を安定して支えることが可能となるという利点がある。
【００７２】
上述した実施形態では、第１パネル部１０Ａ及び第２パネル部１０Ｂがそれぞれ上下対称な形状を有するものとして説明したが、これに限定されず、上下非対称な形状であっても良い。例えば、上側側縁部７に形成される凹陥部１２の数と、下側側縁部８に形成される凹陥部１２の数とが異なる構成としても良い。このような変形例としては、例えば図１０に示すマスク本体２Ｃのように、上側側縁部７に２つの凹陥部１２Ａ，１２Ｂが形成され、下側側縁部８に１つの凹陥部１２が形成される構成が例示される。上側側縁部７に形成された凹陥部１２Ａ，１２Ｂは、下側側縁部８に形成された凹陥部１２よりも小さい曲率半径及び短い円弧長を有している。このようなマスク本体２Ｃによれば、例えば、上側側縁部７に形成された２つの凹陥部１２Ａ，１２Ｂに２本の指（例えば、人差し指及び中指、又は、中指及び薬指）を添え、下側側縁部８に形成された凹陥部１２に１本の指（例えば、親指）を添えた状態でマスク本体２Ｃを把持することが可能となるため、上下一本ずつの指で把持する場合と比べ、マスク本体２Ｃを安定して支えることが可能となるという利点がある。
【００７３】
上述した実施形態では、上側側縁部７及び下側側縁部８に形成された凹陥部１２に指を添えるものとして説明したが、これに限定されず、例えば図１１及び図１２に示すように、凹陥部１２に近接して形成された貫通孔５４やスリット５６に指を挿入させる構成としても良い。このような変形例としては、例えば図１１に示すマスク本体２Ｄのように、上側側縁部７及び下側側縁部８から鍔状に延出した余白部５０，５２を有し、該余白部５０，５２における凹陥部１２と近接した位置に、指を挿通可能な大きさからなる貫通孔５４がそれぞれ形成される構成が例示される。また、貫通孔５４に代えて、例えば図１２に示すマスク本体２Ｅのように、指を挿通可能なスリット５６が形成される構成とすることも可能である。さらに、この貫通孔５４やスリット５６は、図１１及び図１２では上側側縁部７と下側側縁部８に一個ずつ設けられているが、その数は限定されない。例えば、上側側縁部８に二個設けられ、下側側縁部８に一個設けられていてもよい。このような場合、上下一本ずつの指で把持する場合と比べ、マスク本体２Ｄ、２Ｅを安定して支えられることが可能となる。このようなマスク本体２Ｄ，２Ｅによれば、マスク本体２Ｄ，２Ｅを長時間持っていても疲れにくいという利点がある。
【００７４】
上述した実施形態では、第１パネル部１０Ａ及び第２パネル部１０Ｂの接顔側端部５が円弧状に形成されるものとして説明したが、これに限定されず、直線状等の任意の形状を採用可能である。
【００７５】
上述した実施形態では、凹陥部１２を挟むように、各パネル部１０Ａ，１０Ｂの外側に向かう円弧状の接顔側円弧部７ａ，８ａ及び閉塞側円弧部７ｂ，８ｂが設けられるものとして説明したが、これに限定されず、例えば凹陥部１２の両側が直線状に形成される構成であっても良い。
【００７６】
上述した実施形態では、第１パネル部１０Ａ及び第２パネル部１０Ｂの上側側縁部７及び下側側縁部８にドライエッジが形成されるものとして説明したが、これに限定されず、ドライエッジが形成されない構成としても良い。
【００７７】
上述した実施形態では、蒸気発生体３が第１パネル部１０Ａ及び第２パネル部１０Ｂのそれぞれに１つずつ設けられるものとして説明したが、これに限定されず、例えば、第１パネル部１０Ａ及び第２パネル部１０Ｂのそれぞれに複数個設けられる構成としても良いし、第１パネル部１０Ａ及び第２パネル部１０Ｂのいずれか一方にのみ設けられる構成としても良い。また、蒸気発生体３が第１パネル部１０Ａ及び第２パネル部１０Ｂに内包される構成に限定されず、マスク本体２の内面にポケット状の収納部を設け、該収納部に蒸気発生体３を着脱させる構成としても良いし、粘着剤等の固定手段を用いてマスク本体２の内面に蒸気発生体３を固定する構成としても良い。さらに、このように、蒸気発生体３をマスク本体２に対して後付けするタイプにおいては、蒸気発生体３のみを酸素遮断袋に封入させた状態で保管しても良い。蒸気発生体３が複数設けられる場合、それぞれの蒸気特性や形状は同じであっても異なってもよいが、使用者に対して蒸気や香りを均一に供給する観点から、同一形状で同一の蒸気特性を有することが好ましい。
【００７８】
上述した実施形態では、蒸気発生体３が賦香されているものとして説明したが、これに限定されず、賦香されていない蒸気発生体であっても良い。
【００７９】
上記のような変形例が本発明の範囲に含まれることは、特許請求の範囲の記載から明らかである。
【符号の説明】
【００８０】
１      ：蒸気発生具
２      ：マスク本体
３      ：蒸気発生体
４      ：内部空間
５      ：接顔側端部
６      ：閉塞側端部
７      ：上側側縁部
８      ：下側側縁部
１０Ａ  ：第１パネル部
１０Ｂ  ：第２パネル部
１２    ：凹陥部
１４    ：内面シート
１６    ：外面シート
２０    ：上側側縁結合部（側縁結合部）
２２    ：下側側縁結合部（側縁結合部）
２４    ：ドライエッジ
【図１】
2020192310.tif 000003
【図２】
2020192310.tif 000004
【図３】
2020192310.tif 000005
【図４】
2020192310.tif 000006
【図５】
2020192310.tif 000007
【図６】
2020192310.tif 000008
【図７】
2020192310.tif 000009
【図８】
2020192310.tif 000010
【図９】
2020192310.tif 000011
【図１０】
2020192310.tif 000012
【図１１】
2020192310.tif 000013
【図１２】
2020192310.tif 000014